(57)【特許請求の範囲】
【請求項１】
移動体通信のセルに隣接する隣接セルの情報を含む送信情報を送信可能な擬似基地局部（２２）を有して移動体通信端末を試験する試験装置（２０）を、動作させるためのシナリオを生成するシナリオ生成装置であって、
前記シナリオを生成するための情報を入力する操作部（１１）と、
前記シナリオを生成するための画面を表示する表示部（１２）と、
前記操作部からの入力に従って、前記シナリオを生成するシナリオ生成部（１５）と、
を備えたシナリオ生成装置において、
前記セルを示すアイコン（５１）であって、前記操作部からの入力に従って前記擬似基地局部のセルに対応する第１のアイコンを含む複数の前記アイコンを配置可能なセル配置画面（５０）を前記表示部に表示する表示制御部（１３）と、
前記セル配置画面上の前記複数のアイコンの位置関係から、前記第１のアイコンに対応するセルの隣接セルを判定する判定部（１４）と、を備え、
前記シナリオ生成部は、前記判定部の判定結果に従って、前記第１のアイコンに対応する前記擬似基地局部が送信すべき前記送信情報を生成する送信情報生成部（１５０）を有し、この生成された送信情報を含む前記シナリオを生成することを特徴とするシナリオ生成装置（１０）。
【請求項２】
前記シナリオは、複数の前記擬似基地局部を有する前記試験装置を動作させるものであり、
前記複数のアイコンは、前記複数の擬似基地局部のセルにそれぞれ対応し、
前記判定部は、前記複数のアイコンのそれぞれについて、前記隣接セルを判定し、
前記送信情報生成部は、前記送信情報を、前記複数の擬似基地局部のそれぞれに対応して生成し、
前記シナリオ生成部は、前記複数の擬似基地局部をそれぞれ動作させるための前記シナリオを生成することを特徴とする請求項１に記載のシナリオ生成装置。
【請求項３】
前記アイコンは、前記セル配置画面中の任意の位置に配置可能であり、
前記判定部は、前記セル配置画面上で接しているか、又は重なっているアイコンを前記隣接セルと判定することを特徴とする請求項１乃至２に記載のシナリオ生成装置。
【請求項４】
前記アイコンは、前記セル配置画面の中の単一軸の方向に並べて配置可能であり、
前記判定部は、前記単一軸の方向で隣に位置するアイコンを前記隣接セルと判定することを特徴とする請求項１乃至２に記載のシナリオ生成装置。
【請求項５】
前記送信情報は、基地局から前記セル内の移動体通信端末に一斉に報知されるべき報知情報であり、
前記送信情報生成部は、前記報知情報を生成する報知情報生成部（１５１）を含むことを特徴とする請求項１乃至４に記載のシナリオ生成装置。
【請求項６】
前記シナリオは、異なる通信事業者間で通信サービスの利用を可能とするローミングの状態を模擬するために、隣接するセル同士が互いに異なる通信事業者のセルとなっている状態に設定するものであり、
前記送信情報は、移動体通信端末の位置登録処理の通信において基地局から前記移動体通信端末に通知されるべき情報であって、且つ、前記隣接セルの前記ローミングに関するローミング情報であり、
前記送信情報生成部は、前記ローミング情報を生成するローミング情報生成部（１５２）を含むことを特徴とする請求項１乃至４に記載のシナリオ生成装置。
【請求項７】
移動体通信のセルに隣接する隣接セルの情報を含む送信情報を送信可能な擬似基地局部（２２）を有して移動体通信端末を試験する試験装置（２０）を、動作させるためのシナリオを生成するシナリオ生成方法であって、
前記セルを示すアイコン（５１）であって、前記擬似基地局部に対応する第１のアイコンを含む複数の前記アイコンを配置可能なセル配置画面（５０）を表示する表示ステップ（Ｓ１１）と、
前記複数のアイコンを前記セル配置画面上に配置する配置ステップ（Ｓ１２）と、
前記セル配置画面上の前記複数のアイコンの位置関係から、前記第１のアイコンに対応するセルの隣接セルを判定する判定ステップ（Ｓ１３）と、
前記判定ステップの判定結果に従って、前記第１のアイコンに対応する前記擬似基地局部が送信すべき前記送信情報を生成する送信情報生成ステップ（Ｓ１４）と、
前記生成された送信情報を含む前記シナリオを生成するシナリオ生成ステップ（Ｓ１５）と、
を含むことを特徴とするシナリオ生成方法。
【請求項８】
前記シナリオは、複数の前記擬似基地局部を有する前記試験装置を動作させるものであり、
前記複数のアイコンは、前記複数の擬似基地局部のセルにそれぞれ対応し、
前記判定ステップは、前記複数のアイコンのそれぞれについて、前記隣接セルを判定し、
前記送信情報生成ステップは、前記送信情報を、前記複数の擬似基地局部のそれぞれに対応して生成し、
前記シナリオ生成ステップは、前記複数の擬似基地局部をそれぞれ動作させるための前記シナリオを生成することを特徴とする請求項７に記載のシナリオ生成方法。
【請求項９】
移動体通信のセルに隣接する隣接セルの情報を含む送信情報を送信可能な擬似基地局部（２２）を有して移動体通信端末を試験する試験装置（２０）を、動作させるためのシナリオを生成するシナリオ生成プログラムであって、
前記セルを示すアイコン（５１）であって、前記擬似基地局部に対応する第１のアイコンを含む複数の前記アイコンを配置可能なセル配置画面（５０）を表示させる表示ステップ（Ｓ１１）と、
前記複数のアイコンを前記セル配置画面上に配置させる配置ステップ（Ｓ１２）と、
前記セル配置画面上の前記複数のアイコンの位置関係から、前記第１のアイコンに対応するセルの隣接セルを判定する判定ステップ（Ｓ１３）と、
前記判定ステップの判定結果に従って、前記第１のアイコンに対応する前記擬似基地局部が送信すべき前記送信情報を生成する送信情報生成ステップ（Ｓ１４）と、
前記生成された送信情報を含む前記シナリオを生成するシナリオ生成ステップ（Ｓ１５）と、
をコンピュータに実行させるシナリオ生成プログラム。
【発明の詳細な説明】
【技術分野】
【０００１】
本発明は、移動体通信端末の試験を行う試験装置に用いられる試験シナリオを生成するシナリオ生成装置、シナリオ生成方法及びシナリオ生成プログラムに関する。
【背景技術】
【０００２】
携帯電話やデータ通信端末等の移動体通信端末を開発した場合、この開発した移動体通信端末が正常に通信を行えるか否かを試験する必要がある。このため、実際の基地局の機能を模擬する擬似基地局として動作する試験装置に、試験対象の移動体通信端末を接続し、試験装置と移動体通信端末との間で通信を行い、この通信の内容を確認する試験を行っている。
【０００３】
この試験装置は、予め生成された試験シナリオ（以下、単にシナリオと記す）に従って動作する。このシナリオには、試験装置の動作の設定や、移動体通信端末との通信シーケンスが記述されている。シナリオは、所望する試験項目毎に生成する必要があり、シナリオ作成者がシナリオ生成装置を用いて各種のシナリオを作成する。このようなシナリオ生成装置は、下記特許文献１に開示されている。
【先行技術文献】
【特許文献】
【０００４】
【特許文献１】特開２００８−１９９０８５号公報
【発明の概要】
【発明が解決しようとする課題】
【０００５】
ところで、移動体通信システムは、１つの基地局の通信エリアであるセルを多数配置し、移動体通信端末が最適なセルを選択して通信を行うものである。従って、移動体通信端末存在するセルを登録する位置登録動作や、通信中の移動体通信端末が移動したときに移動体通信端末の通信先のセルを切り替えるハンドオーバ動作などが、通信規格として規定されている。このような動作のため、各基地局は、自己のセルに隣接するセル（Neighbouring cells）の情報を、報知情報（System Information）や、位置登録動作のための通信に含めて、移動体通信端末に送信するようになっている。
【０００６】
従って、前述のシナリオを生成する際、シナリオ作成者は、報知情報の通信内容や、位置登録動作の通信内容に、隣接セルの情報を含めて、シナリオを記述しなければならない。しかしながら、隣接セルを把握して適切にシナリオを記述することは、シナリオ作成者にとって困難であった。
【０００７】
例えば、第１の擬似基地局、第２の擬似基地局及び第３の擬似基地局を備えた試験装置を用いて、第１の擬似基地局の通信エリアである第１のセル、第２の擬似基地局の通信エリアである第２のセル、第３の擬似基地局の通信エリアである第３のセルを模擬し、移動体通信端末が、第１のセルから第２のセルへハンドオーバする動作を試験する場合がある。この試験のシナリオにおいて、シナリオ作成者は、第１のセルの隣接セルとしての第２のセルの情報を、第１の擬似基地局が送信すべき報知情報に含めなければならない。また、シナリオ作成者は、第２のセルの隣接セルとしての第１のセルの情報を、第２の擬似基地局が送信すべき報知情報に含めなければならない。
【０００８】
もし、シナリオ作成者が、隣接セルの情報を誤ってしまうと、適切なシナリオが生成されず、その結果、適切な試験が行えないおそれがあった。上記の例で、もし、シナリオ作成者が、第１のセルの隣接セルの情報として、誤って第３のセルの情報を用いてしまうと、第１の擬似基地局から、隣接セルが第３のセルであるとの報知情報が移動体通信端末に送信されることになり、適切な試験を行うことができない。さらに、上記の例よりも多数のセルが隣接する状態での試験も想定される。この場合、シナリオ作成者が、隣接セルの情報を誤ってしまう可能性が、さらに高くなる。
【０００９】
本発明は、以上のような課題に対し、移動体通信端末を試験するためのシナリオを生成する際に、各セルの隣接関係を自動的に判定し、その判定結果に従ってシナリオを生成することができるシナリオ生成装置、シナリオ生成方法及びシナリオ生成プログラムを提供することを目的とする。
【課題を解決するための手段】
【００１０】
上述の目的を達成するために、本発明のシナリオ生成装置（１０）は、移動体通信のセルに隣接する隣接セルの情報を含む送信情報を送信可能な擬似基地局部（２２）を有して移動体通信端末を試験する試験装置（２０）を、動作させるためのシナリオを生成するシナリオ生成装置であって、前記シナリオを生成するための情報を入力する操作部（１１）と、前記シナリオを生成するための画面を表示する表示部（１２）と、前記操作部からの入力に従って、前記シナリオを生成するシナリオ生成部（１５）と、を備えたシナリオ生成装置において、前記セルを示すアイコン（５１）であって、前記操作部からの入力に従って前記擬似基地局部のセルに対応する第１のアイコンを含む複数の前記アイコンを配置可能なセル配置画面（５０）を前記表示部に表示する表示制御部（１３）と、前記セル配置画面上の前記複数のアイコンの位置関係から、前記第１のアイコンに対応するセルの隣接セルを判定する判定部（１４）と、を備え、前記シナリオ生成部は、前記判定部の判定結果に従って、前記第１のアイコンに対応する前記擬似基地局部が送信すべき前記送信情報を生成する送信情報生成部（１５０）を有し、この生成された送信情報を含む前記シナリオを生成することを特徴とする。
【００１１】
また、本発明の別な態様のシナリオ生成装置は、前記シナリオは、複数の前記擬似基地局部を有する前記試験装置を動作させるものであり、前記複数のアイコンは、前記複数の擬似基地局部のセルにそれぞれ対応し、前記判定部は、前記複数のアイコンのそれぞれについて、前記隣接セルを判定し、前記送信情報生成部は、前記送信情報を、前記複数の擬似基地局部のそれぞれに対応して生成し、前記シナリオ生成部は、前記複数の擬似基地局部をそれぞれ動作させるための前記シナリオを生成する。
【００１２】
また、本発明の別な態様のシナリオ生成装置は、前記アイコンは、前記セル配置画面中の任意の位置に配置可能であり、前記判定部は、前記セル配置画面上で接しているか、又は重なっているアイコンを前記隣接セルと判定する。
【００１３】
また、本発明の別な態様のシナリオ生成装置は、前記アイコンは、前記セル配置画面の中の単一軸の方向に並べて配置可能であり、前記判定部は、前記単一軸の方向で隣に位置するアイコンを前記隣接セルと判定する。
【００１４】
また、本発明の別な態様のシナリオ生成装置は、前記送信情報は、基地局から前記セル内の移動体通信端末に一斉に報知されるべき報知情報であり、前記送信情報生成部は、前記報知情報を生成する報知情報生成部（１５１）を含む。
【００１５】
また、本発明の別な態様のシナリオ生成装置は、前記シナリオは、異なる通信事業者間で通信サービスの利用を可能とするローミングの状態を模擬するために、隣接するセル同士が互いに異なる通信事業者のセルとなっている状態に設定するものであり、前記送信情報は、移動体通信端末の位置登録処理の通信において基地局から前記移動体通信端末に通知されるべき情報であって、且つ、前記隣接セルの前記ローミングに関するローミング情報であり、前記送信情報生成部は、前記ローミング情報を生成するローミング情報生成部（１５２）を含む。
【００１６】
本発明のシナリオ生成方法は、移動体通信のセルに隣接する隣接セルの情報を含む送信情報を送信可能な擬似基地局部（２２）を有して移動体通信端末を試験する試験装置（２０）を、動作させるためのシナリオを生成するシナリオ生成方法であって、前記セルを示すアイコン（５１）であって、前記擬似基地局部に対応する第１のアイコンを含む複数の前記アイコンを配置可能なセル配置画面（５０）を表示する表示ステップ（Ｓ１１）と、前記複数のアイコンを前記セル配置画面上に配置する配置ステップ（Ｓ１２）と、前記セル配置画面上の前記複数のアイコンの位置関係から、前記第１のアイコンに対応するセルの隣接セルを判定する判定ステップ（Ｓ１３）と、前記判定ステップの判定結果に従って、前記第１のアイコンに対応する前記擬似基地局部が送信すべき前記送信情報を生成する送信情報生成ステップ（Ｓ１４）と、前記生成された送信情報を含む前記シナリオを生成するシナリオ生成ステップ（Ｓ１５）と、を含むことを特徴とする。
【００１７】
また、本発明の別な態様のシナリオ生成方法は、前記シナリオは、複数の前記擬似基地局部を有する前記試験装置を動作させるものであり、前記複数のアイコンは、前記複数の擬似基地局部のセルにそれぞれ対応し、前記判定ステップは、前記複数のアイコンのそれぞれについて、前記隣接セルを判定し、前記送信情報生成ステップは、前記送信情報を、前記複数の擬似基地局部のそれぞれに対応して生成し、前記シナリオ生成ステップは、前記複数の擬似基地局部をそれぞれ動作させるための前記シナリオを生成する。
【００１８】
本発明のシナリオ生成プログラムは、移動体通信のセルに隣接する隣接セルの情報を含む送信情報を送信可能な擬似基地局部（２２）を有して移動体通信端末を試験する試験装置（２０）を、動作させるためのシナリオを生成するシナリオ生成プログラムであって、前記セルを示すアイコン（５１）であって、前記擬似基地局部に対応する第１のアイコンを含む複数の前記アイコンを配置可能なセル配置画面（５０）を表示させる表示ステップ（Ｓ１１）と、前記複数のアイコンを前記セル配置画面上に配置させる配置ステップ（Ｓ１２）と、前記セル配置画面上の前記複数のアイコンの位置関係から、前記第１のアイコンに対応するセルの隣接セルを判定する判定ステップ（Ｓ１３）と、前記判定ステップの判定結果に従って、前記第１のアイコンに対応する前記擬似基地局部が送信すべき前記送信情報を生成する送信情報生成ステップ（Ｓ１４）と、前記生成された送信情報を含む前記シナリオを生成するシナリオ生成ステップ（Ｓ１５）と、をコンピュータに実行させる。
【発明の効果】
【００１９】
本発明のシナリオ生成装置、シナリオ生成方法及びシナリオ生成プログラムは、移動体通信端末を試験するためのシナリオを生成する際に、各セルの隣接関係を自動的に判定し、その判定結果に従ってシナリオを生成することができる。このため、隣接セルの設定に誤りがあるシナリオの生成を防止し、シナリオ作成者の利便性を向上することができる。
【図面の簡単な説明】
【００２０】
【図１】本発明の試験システムのブロック図
【図２】本発明のシナリオ生成装置のフローチャート
【図３】本発明の第１の実施形態のセル配置画面の例
【図４】本発明の第１の実施形態のセル配置画面の別な例
【図５】本発明の第２の実施形態のセル配置画面の例
【図６】本発明の第２の実施形態のセル配置画面の別な例
【発明を実施するための最良の形態】
【００２１】
（第１の実施形態）
以下、本発明の第１の実施の形態を、図面を参照しながら具体的に説明する。図１は、試験システム１のブロック図である。試験システム１は、所定の通信規格（例えば、ＬＴＥ、Ｗ−ＣＤＭＡなど）に対応して無線通信を行う移動体通信端末２を、試験対象として試験を行う。ここで、移動体通信端末２は、例えば、携帯電話やデータ通信端末等である。試験システム１は、移動体通信端末２を試験するためのシナリオを生成するシナリオ生成装置１０と、そのシナリオに従って移動体通信端末２と通信を行い、移動体通信端末２の通信機能を試験する試験装置２０と、を有している。なお、図１では、シナリオ生成装置１０と試験装置２０とは別体で示されているが、単一の筐体に一体として構成されていてもよい。
【００２２】
試験装置２０は、本発明のシナリオ生成装置１０で生成されたシナリオを実行して、試験装置２０の各部を制御し、移動体通信端末２との通信を行わせるシナリオ処理部２１と、基地局の動作を模擬して移動体通信端末２との通信を行う擬似基地局部２２とを備える。擬似基地局部２２と移動体通信端末２とは、同軸ケーブルで接続され、ＲＦ信号で通信を行う。図１の試験装置２０は、第１の擬似基地局部２２ａ乃至第３の擬似基地局部２２ｃの、３つの擬似基地局部を備えた例を示しており、これらの擬似基地局部のＲＦ信号を結合するための結合器２３を備えている。
【００２３】
シナリオ生成装置１０は、操作部１１、表示部１２、表示制御部１３、判定部１４、シナリオ生成部１５、記憶部１６を備えている。シナリオ生成装置１０は、各種のハードウェアと、そのハードウェアを用いて動作するソフトウェア（プログラム）で構成される装置であり、一例として、パーソナルコンピュータ（ＰＣ）である。なお、実際には、シナリオ生成装置１０は、シナリオ生成に必要な各種の機能を有しているが、図１及び以下の説明では、本発明の説明に必要な機能のみを示し、それ以外の機能は省略する。
【００２４】
操作部１１は、キーボード、マウス、タッチパネル等の入力機器で構成され、シナリオの生成に必要な情報を入力する。表示部１２は、液晶ディスプレイ等の画像表示機器で構成され、シナリオの生成に必要な画像を表示する。
【００２５】
表示制御部１３は、移動体通信のセルを示すアイコン５１を複数配置可能なセル配置画面５０を、表示部１２に表示する。また、表示制御部１３は、操作部１１からの操作に従ってアイコン５１の画像を生成して表示するためのアイコン表示部１３１と、セル配置画面５０上における各アイコン５１の位置を検出するアイコン位置検出部１３２とを含む。
【００２６】
判定部１４は、アイコン位置検出部１３２が検出した、各アイコン５１の位置情報を用いて、あるアイコン５１と、他のアイコン５１とが、隣接関係にあるか否かを判定する。これにより、あるアイコン５１に対応するセルと、他のアイコン５１に対応するセルとが、隣接しているか否かが判定される。
【００２７】
シナリオ生成部１５は、移動体通信端末２を試験するためのシナリオを生成する。このシナリオには、試験装置２０の動作の設定や、移動体通信端末２との通信シーケンスが記述される。この通信シーケンスには、擬似基地局部２２が送信する通信であって、隣接セルの情報を含む通信が含まれる。この通信は、具体的には、報知情報の送信や、位置登録処理における通信である。シナリオ生成部１５は、この通信の内容である送信情報を生成する送信情報生成部１５０を有している。また、送信情報生成部１５０は、報知情報の内容を生成する報知情報生成部１５１と、位置登録処理における通信の内容にローミングに関する情報が含まれる場合にその情報を生成するローミング情報生成部１５２とを含む。
【００２８】
記憶部１６は、ハード・ディスク・ドライブ（ＨＤＤ）やフラッシュメモリで構成され、シナリオ生成部１５で生成された各種のシナリオを記憶する。記憶部１６に記憶されたシナリオは、各種の通信インタフェース（ＵＳＢ、イーサネット（登録商標）等）や、可搬型記憶媒体（ＳＤカード等）を介して試験装置２０に転送され、試験装置２０で実行される。
【００２９】
以下、シナリオ生成装置１０の動作について、図面を参照して説明する。図２は、シナリオ生成装置１０の動作を示したフローチャートであり、図３、図４は、アイコン５１が配置されたセル配置画面５０の表示例を示している。
【００３０】
まず、表示制御部１３は、セル配置画面５０を表示部１２に表示する（Ｓ１１）。セル配置画面５０は、その画面内に複数のアイコン５１を配置可能となっているが、この段階では、セル配置画面５０上にアイコン５１は配置されていない。このアイコン５１は、移動体通信におけるセルを示したものであって、各アイコン５１を識別可能とするためのアイコン識別情報をアイコン上に表示可能となっている。
【００３１】
図３、図４の例では、アイコン５１ａは、セルを識別するためのセル名として「Ｃｅｌｌ＿Ａ」、対応する擬似基地局部２２を示すための基地局名として「ＢＴＳ＿１」を表示している。同様に、アイコン５１ｂは、セル名「Ｃｅｌｌ＿Ｂ」と基地局名「ＢＴＳ＿２」を表示し、アイコン５１ｃは、セル名「Ｃｅｌｌ＿Ｃ」と基地局名「ＢＴＳ＿３」を表示している。このアイコン識別情報は、アイコン５１を生成する際に、シナリオ作成者が設定する。なお、アイコン識別情報は、各アイコン５１が識別可能であって、シナリオ生成時に擬似基地局部２２と対応付けが可能な態様であれば良く、この例に限定されない。また、図３、図４の例では、アイコン５１の形状は円であるが、他の形状でもよい。例えば、アイコン５１を四角形や六角形などの多角形で表示してもよい。
【００３２】
次に、シナリオ作成者は、操作部１１を操作して、任意の数のアイコン５１を生成させ、この生成されたアイコン５１をセル配置画面５０上の任意の位置に配置する（Ｓ１２）。アイコン５１の生成は、例えば以下のようにして行われる。図３に示すように、表示制御部１３は、セル配置画面５０の隣にアイコン生成画面６０を表示させる。シナリオ作成者は操作部１１のマウスのポインタをアイコン生成画面６０上に位置させた状態でクリック動作を行い、続けてドラッグ動作によりポインタをセル配置画面５０上に移動させる。これにより、アイコン表示部１３１がアイコン５１をセル配置画面５０上に生成する。アイコン生成画面６０によってアイコン５１を生成する手法は、あくまで一例であり、他の手法によってアイコン５１を生成してもよい。
【００３３】
ここで、シナリオ作成者は、互いに隣接セルとなる２つのアイコン５１について、これらのアイコン５１同士が接するように（又は、重なるように）配置する。また、シナリオ作成者は、互いに隣接セルとならない２つのアイコン５１について、これらのアイコン５１同士が接しないように（又は、重ならないように）配置する。
【００３４】
アイコン５１の配置が完了すると、アイコン位置検出部１３２は、セル配置画面５０上における各アイコン５１の位置を検出する。この検出した位置の情報により、各アイコン５１について、他のアイコン５１と接しているか否かが判定できるようになっている。そして、表示制御部１３は、前述のアイコン識別情報とともに、この位置の情報を、判定部１４に送出する。これらの情報により、判定部１４は、どのセルとどのセルとが隣接しているかを判定する（Ｓ１３）。
【００３５】
図３の例では、アイコン５１ａは、アイコン５１ｂ及びアイコン５１ｃと接している。また、アイコン５１ｂとアイコン５１ｃとは離れている（接していない）。従って、判定部１４は、「Ｃｅｌｌ＿Ａ」の隣接セルは、「Ｃｅｌｌ＿Ｂ」及び「Ｃｅｌｌ＿Ｃ」と判定する。また、判定部１４は、「Ｃｅｌｌ＿Ｂ」の隣接セルは、「Ｃｅｌｌ＿Ａ」と判定し、「Ｃｅｌｌ＿Ｃ」の隣接セルは、「Ｃｅｌｌ＿Ａ」と判定する。
【００３６】
送信情報生成部１５０は、判定部１４が判定した隣接セルの情報に従って、送信情報を生成する（Ｓ１４）。例として、セル配置画面５０が図３のようになっており、送信情報として報知情報の生成を行う場合について説明する。「Ｃｅｌｌ＿Ａ」、「Ｃｅｌｌ＿Ｂ」及び「Ｃｅｌｌ＿Ｃ」の個別の情報は、シナリオ作成者が入力済であるとする。ここで、「Ｃｅｌｌ＿Ａ」の隣接セルは、「Ｃｅｌｌ＿Ｂ」及び「Ｃｅｌｌ＿Ｃ」と判定されている。また、「Ｃｅｌｌ＿Ａ」に対応する擬似基地局部２２は、第１の擬似基地局部２２ａに設定されている。従って、報知情報生成部１５１は、隣接セルとして「Ｃｅｌｌ＿Ｂ」及び「Ｃｅｌｌ＿Ｃ」の情報を含めて、第１の擬似基地局部２２ａが送信する報知情報を生成する。同様に、報知情報生成部１５１は、隣接セルとして「Ｃｅｌｌ＿Ａ」の情報を含めて、第２の擬似基地局部２２ｂが送信する報知情報を生成し、隣接セルとして「Ｃｅｌｌ＿Ａ」の情報を含めて、第３の擬似基地局部２２ｃが送信する報知情報を生成する。なお、送信情報生成部１５０は、隣接セル以外の情報については、シナリオ作成者が操作部１１から入力した情報を用いて、送信情報を生成する。
【００３７】
シナリオ生成部１５は、シナリオ作成者の操作に従ってシナリオを生成する。その際、送信情報生成部１５０で生成された送信情報を用いる（Ｓ１５）。生成されたシナリオは、記憶部１６に記憶され、試験装置２０に転送され、試験装置２０で実行される。上述の例では、シナリオが実行されると、第１の擬似基地局部２２ａは、隣接セルとして「Ｃｅｌｌ＿Ｂ」及び「Ｃｅｌｌ＿Ｃ」の情報を含む報知情報を送信する。また、第２の擬似基地局部２２ｂは、隣接セルとして「Ｃｅｌｌ＿Ａ」の情報を含む報知情報を送信し、第３の擬似基地局部２２ｃは、隣接セルとして「Ｃｅｌｌ＿Ａ」の情報を含む報知情報を送信する。
【００３８】
図４は、図３と異なるようにアイコン５１が配置されたセル配置画面５０の例を示している。図４では、アイコン５１ａ、アイコン５１ｂ、アイコン５１ｃの３つのアイコンが、互いに接している。従って、判定部１４は、アイコン５１ａ、アイコン５１ｂ、アイコン５１ｃにそれぞれ対応する、「Ｃｅｌｌ＿Ａ」、「Ｃｅｌｌ＿Ｂ」、「Ｃｅｌｌ＿Ｃ」が互いに隣接していると判定する。この場合、第１の擬似基地局部２２ａは、隣接セルとして「Ｃｅｌｌ＿Ｂ」及び「Ｃｅｌｌ＿Ｃ」の情報を含む送信情報を送信し、第２の擬似基地局部２２ｂは、隣接セルとして「Ｃｅｌｌ＿Ａ」及び「Ｃｅｌｌ＿Ｃ」の情報を含む送信情報を送信し、第３の擬似基地局部２２ｃは、隣接セルとして「Ｃｅｌｌ＿Ａ」及び「Ｃｅｌｌ＿Ｂ」の情報を含む送信情報を送信することになり、これに対応したシナリオが生成される。
【００３９】
この第１の実施形態では、セル配置画面５０上に配置された複数のアイコン５１同士が接しているか否かによって、隣接セルを判定する。そして、この判定結果に従って送信情報が生成され、この送信情報を用いてシナリオが生成される。このため、シナリオ作成者は、視覚的に確認が容易なセル配置画面５０上で、セルの隣接関係を設定できる。このため、シナリオ中の隣接セルの設定に関する部分について、シナリオ作成者が誤って設定するおそれを無くすことができる。
【００４０】
なお、本実施形態では、試験装置２０が３つの擬似基地局部２２を備えている場合を例にして説明したが、擬似基地局部２２の数は、１以上であれば、いくつでもよい。擬似基地局部２２の数が１の場合、試験対象の移動体通信端末２は、１つのセルの信号のみを受信することになる。このような構成でも、試験の種別によっては、仮想的に隣接セルを設定して、隣接セルの情報を含む送信情報を擬似基地局部２２が送信することが必要な場合がある。このような試験のシナリオを生成する場合に、本発明を適用できる。
【００４１】
ここで、上述の送信情報について、さらに説明する。本実施形態における送信情報の１つの例は、報知情報である。報知情報は、基地局が移動体通信端末へ一斉同報送信するものである。報知情報の内容は、例えば、ＬＴＥ通信方式に関連する規格である3GPP TS 36.331 V11.5.0に定義されている。
【００４２】
報知情報は、主要情報ブロック（Master Information Block：MIB）と、複数種類のシステム情報ブロック（System Information Block：SIB）とを含んで構成される。このうち、第４のＳＩＢであるＳＩＢ４は、同一の通信周波数帯域の隣接セルのリスト（intraFreqNeighbCellList）の情報を含む。同様に、ＳＩＢ５は異なる周波数帯域の隣接セルのリストの情報を含み、ＳＩＢ６はＷ−ＣＤＭＡ通信方式やＴＤ−ＳＣＤＭＡ通信方式の隣接セルのリストの情報を含み、ＳＩＢ７はＧＳＭ（登録商標）通信方式の隣接セルのリストの情報を含み、ＳＩＢ８は、ＣＤＭＡ２０００通信方式の隣接セルのリストの情報を含む。
【００４３】
本実施形態では、判定部１４の判定結果に従って、報知情報生成部１５１が、上述の隣接セルのリストを生成する。このため、シナリオ生成者が、誤ったリストを作成するおそれが無くなる。
【００４４】
本実施形態における送信情報の別な例は、ローミング情報である。ローミング情報は、位置登録処理の際に、コアネットワークノードと移動体通信端末との間の通信を処理する非アクセス層（Non Access Stratum：NAS)のメッセージに含まれる情報である。このローミング情報の一例は、等価公衆移動通信網のリスト（Equivalent PLMN List）であり、このリストは、ローミング対象のセルの情報として、移動体通信の運用地域識別コード（Mobile Country Code：MCC）と、移動体通信の通信事業者識別コード（Mobile Network Code：MNC）とを含む。このリストの内容は、例えば、ＬＴＥ通信方式に関連する規格である3GPP TS 24.008 V11.8.0に定義されている。
【００４５】
本実施形態では、判定部１４の判定結果に従って、ローミング情報生成部１５１が、上述のリストを生成する。このため、シナリオ生成者が、誤ったリストを作成するおそれが無くなる。
【００４６】
（第２の実施形態）
続いて、本発明の第２の実施の形態を説明する。この第２の実施の形態は、第１の実施形態と比較して、セル配置画面５０上のアイコン５１の配置の態様と、判定部１４の判定の手法とが相違し、それ以外は同様である。このため、この相違する点のみを、図５、図６を参照して説明する。
【００４７】
図５のセル配置画面５０は、横方向にアイコン５１を配置することが可能となっており、この横方向のアイコン５１の位置によって、隣接セルが判定される。つまり、判定部１４は、あるアイコン５１について、直近の右隣又は直近の左隣のアイコン５１を隣接セルと判定する。２つのアイコン５１同士が接しているか否かは、判定に関係しない。
【００４８】
図５の例では、アイコン５１ａについて、右隣にアイコン５１ｂが配置され、左隣にアイコン５１ｃが配置されている。このため、判定部１４は、「Ｃｅｌｌ＿Ａ」の隣接セルは、「Ｃｅｌｌ＿Ｂ」及び「Ｃｅｌｌ＿Ｃ」と判定する。また、アイコン５１ｂについて、左隣にアイコン５１ａが配置されている。アイコン５１ｃは、アイコン５１ａよりもさらに左側に位置するので、アイコン５１ｂの直近ではない。このため、判定部１４は、「Ｃｅｌｌ＿Ｂ」の隣接セルは、「Ｃｅｌｌ＿Ａ」と判定する。また、アイコン５１ｃについて、右隣にアイコン５１ａが配置されている。アイコン５１ｂは、アイコン５１ａよりもさらに右側に位置するので、アイコン５１ｃの直近ではない。このため、判定部１４は、「Ｃｅｌｌ＿Ｃ」の隣接セルは、「Ｃｅｌｌ＿Ａ」と判定する。
【００４９】
（変形例）
図６は、第２の実施形態における変形例である。図６のセル配置画面５０は、縦方向にアイコン５１を配置することが可能となっており、この縦方向のアイコン５１の位置によって、隣接セルが判定される。つまり、判定部１４は、あるアイコン５１について、直上又は直下のアイコン５１を隣接セルと判定する。２つのアイコン５１同士が接しているか否かは、判定に関係しない。これ以外の機能は、図５の例と同様である。
【００５０】
この第２の実施形態では、単一軸の方向（図５の例は横方向、図６の例は縦方向）におけるアイコン５１の位置によって、隣接セルを判定する。このため、セル配置画面５０上にアイコン５１を配置する際に、アイコン５１同士が接しているか否かを、シナリオ作成者が厳密に確認する必要がない。従って、シナリオ作成者にとって、セル配置画面５０上にアイコン５１を配置することが容易になる。
【符号の説明】
【００５１】
１…試験システム、２…移動体通信端末、１０…シナリオ生成装置、１１…操作部、１２…表示部、１３…表示制御部、１４…判定部、１５…シナリオ生成部、１６…記憶部、２０…試験装置、２１…シナリオ処理部、２２…擬似基地局部、２３…結合器、５０…セル配置画面、５１…アイコン、６０…アイコン生成画面、１３１…アイコン表示部、１３２…アイコン位置検出部、１５０…送信情報生成部、１５１…報知情報生成部、１５２…ローミング情報生成部
【図１】
0005843896.tif 000002
【図２】
0005843896.tif 000003
【図３】
0005843896.tif 000004
【図４】
0005843896.tif 000005
【図５】
0005843896.tif 000006
【図６】
0005843896.tif 000007